(57)【要約】【課題】  表示部の簡素化を行い、使い勝手を向上させる。【解決手段】  衣類が収容される洗濯兼脱水槽３と、この洗濯兼脱水槽を駆動するモータと、前記洗濯兼脱水槽支持する筐体とを有し、回転ドラムを前記モータで回転させて洗濯運転及び乾燥運転する洗濯乾燥機において、表示部の表示シート裏側に制御により発光色を２色以上切替え可能な発光体を設置した。これにより、使用者の操作に対応し、発光表示色を切替えることが可能となるため、操作に対応する表示内容が容易に理解することができ、使い勝手を向上させることができる。【選択図】図８
2010069026.tif 000002
【特許請求の範囲】
【請求項１】
衣類が収容される回転ドラムと、この回転ドラムを駆動するモータと、前記回転ドラムを支持する筐体と、運転コースを選択するための操作部と、その操作内容を表示する表示部とを有する洗濯機において、
前記表示部はハーフミラーの表示シートとし、その裏側には発光色を制御により２色以上切替え可能な発光体が配置されており、電源を入れ、運転コース選択時にはその運転コースにおいて選択可能なメニューを明示するように発光体が発光し、かつ、選択中のメニューは別色にて明示することを特徴とする洗濯機。
【請求項２】
衣類が収容される回転ドラムと、この回転ドラムを駆動するモータと、前記回転ドラムを支持する筐体と、運転コースを選択するための操作部と、その操作内容を表示する表示部とを有する洗濯乾燥機において、
前記表示部はハーフミラーの表示シートとし、その裏側には発光色を制御により２色以上切替え可能な発光体が配置されており、電源を入れ、運転コース選択時にはその運転コースにおいて選択可能なメニューを明示するように発光体が発光し、かつ、選択中のメニューは別色にて明示することを特徴とする洗濯乾燥機。
【請求項３】
衣類が収容される回転ドラムと、この回転ドラムを駆動するモータと、前記回転ドラムを支持する筐体と、運転コースを選択するための操作部と、その操作内容を表示する表示部とを有する洗濯機において、
前記表示部はハーフミラーの表示シートとし、その裏側には発光色を制御により２色以上切替え可能な発光体が配置されており、電源切時には表示シートには何も表示されず、電源を入れ、運転コース選択時にはその運転コースにおいて選択可能なメニューを明示するように発光体が発光し、かつ、選択中のメニューは別色にて発光し明示することを特徴とする洗濯機。
【請求項４】
衣類が収容される回転ドラムと、この回転ドラムを駆動するモータと、前記回転ドラムを支持する筐体と、運転コースを選択するための操作部と、その操作内容を表示する表示部とを有する洗濯乾燥機において、
前記表示部はハーフミラーの表示シートとし、その裏側には発光色を制御により２色以上切替え可能な発光体が配置されており、電源切時には表示シートには何も表示されず、電源を入れ、運転コース選択時にはその運転コースにおいて選択可能なメニューを明示するように発光体が発光し、かつ、選択中のメニューは別色にて発光し明示することを特徴とする洗濯乾燥機。
【発明の詳細な説明】
【技術分野】
【０００１】
本発明は、操作部と表示部とを有する洗濯機又は洗濯乾燥機に関する。
【背景技術】
【０００２】
洗濯機においては、制御装置による運転の制御内容や、使用者による操作内容を表示する表示装置が備えられている。この表示装置は上記制御装置に操作を加えるための操作部と、その制御内容や操作内容を表示する表示部とを有している。
【０００３】
従来の表示部においては透光性を有する表示シートの裏側に単色発光の発光体を有しており、使用者が操作部を操作することにより、その操作内容に対応してその発光体が対象箇所を照明し内容を明示するようになっている。
【０００４】
特許文献１の表示装置は、制御装置に操作を加えるための操作部と、その制御内容や操作内容を表示する表示部とを有する洗濯機の表示装置において、表示部を透明部とこれの表面に施した表示形象と透明部の裏側に配置した不透明のバックシートとを有する構成とした。これにより、家屋における上方からの照明光又は自然光が表示形象をバックシートの上に投影し、これが使用者の視線からは透明部表面の表示形象からずれ重なって見える。よって、表示形象が影を伴ったようにして二重に見えるようにしている。
【０００５】
【特許文献１】特開２００７−５４６５２号公報
【発明の開示】
【発明が解決しようとする課題】
【０００６】
従来の表示装置においては表示スペースの少スペース化のため、使用者の操作内容に対応する対応表示箇所が表示シートに整然と羅列することができず、煩雑になってしまう。そのため、使用者は操作時に選択可能なメニュー対応する表示内容や選択したメニューを瞬時に理解することが困難であった。
【０００７】
本発明の目的は、表示スペースを拡大することなく、使用者の操作内容に対応する表示内容を容易に理解することができ、使い勝手に優れた表示装置を有する洗濯機または洗濯乾燥機を提供することにある。
【課題を解決するための手段】
【０００８】
上記目的を達成するために本発明の表示装置においては、本体の運転制御装置に操作を加えるための操作部とその操作内容を表示する表示部を有する洗濯機において、表示部の表示シートはハーフミラーとし、電源切時には表示部には何も表示されないようにし、電源入時にはシート裏側に制御により発行色を２色以上切替え可能な発光体を備え、発行色によって選択可能メニューと洗濯したメニューに分けて表示することを特徴とする。
【発明の効果】
【０００９】
本発明により、電源切時には表示シート部には何も表示されず、液晶のような外観となり、安価でありながら高品位となり、また、電源入り時には発光体が発行するため、使用者への視認性を向上することができる。また、使用者の操作部の操作内容に対応し、選択可能なコースと、現在選択中のコースで発光体の発光色を切替えることができ、容易に表示内容を理解することができる。
【発明を実施するための最良の形態】
【００１０】
以下、本発明の一実施について、図面を用いて説明する。
【００１１】
図１は本発明の一実施の形態例に係るドラム式洗濯乾燥機の外観図である。図２は内部の構造を示すために筐体の一部を切断して示した斜視図、図３は内部の構造を示すために背面カバーを取り外した背面図、図４は内部の構造を示す側面図、図５は内部の構造を示すために筐体の一部を切断して示した平面図である。
【００１２】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材（図示せず）、前補強材（図示せず）、後補強材（図示せず）で結合されており、ベース１ｈを含めて箱状の筐体１を形成し、筐体として十分な強度を有している。
【００１３】
９は、前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドアが開き、ドアを前面カバー１ｃに押し付けることでロックされて閉じる。前補強材は、後述する外槽の開口部と同心に、衣類を出し入れするための円形の開口部を有している。
【００１４】
３は、回転可能に支持された円筒状の洗濯兼脱水槽（回転ドラム）であり、その外周壁および底壁に通水および通風のための多数の貫通孔を有し、前側端面に衣類を出し入れするための開口部３ａを設けてある。開口部３ａの外側には洗濯兼脱水槽３と一体の流体バランサ３ｃを備えている。外周壁の内側には軸方向に延びるリフタ３ｂが複数個設けてあり、洗濯，乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００１５】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバー２ｄを設け、外槽内への貯水を可能としている。外槽カバー２ｄの前側中央には、衣類を出し入れするための開口部２ｃを有している。本開口部２ｃと前補強材３７に設けた開口部は、ゴム製のベローズ１０で接続しており、ドア９を閉じることで外槽２を水封する。外槽２底面最下部には、排水口２ｂが設けてあり、排水ホース２６が接続している。排水ホース２６の途中には排水弁（図示せず）が設けてあり、排水弁を閉じて給水することで外槽２に水を溜め、排水弁を開いて外槽２内の水を機外へ排出する。
【００１６】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００１７】
１９は、筐体１内の上部左側に設けた洗剤容器で、前部開口から引き出し式の洗剤トレイ７を装着する。洗剤類を入れる場合は、洗剤トレイ７を図１の二点鎖線で示すように引き出す。洗剤容器１９は、筐体１の上補強材に固定されている。
【００１８】
洗剤容器１９の後ろ側には、給水電磁弁１６や風呂水給水ポンプ１７，水位センサ（図示せず）など給水に関連する部品を設けてある。上面カバー１ｅには、水道栓からの給水ホース接続口１６ａ，風呂の残り湯の吸水ホース接続口１７ａが設けてある。洗剤容器１９は、外槽２に接続されており、給水電磁弁１６を開く、あるいは風呂水給水ポンプ１７を運転することで、外槽２に洗濯水を供給する。
【００１９】
２９は筐体１の背面内側に縦方向に設置した乾燥ダクトで、ダクト下部は外槽２の背面下方に設けた吸気口２ａにゴム製の蛇腹管Ｂ２９ａで接続される。乾燥ダクト２９内には、水冷除湿機構（図示せず）を内蔵しており、給水電磁弁１６から水冷除湿機構へ冷却水を供給する。冷却水は乾燥ダクト２９の壁面を伝わって流下し吸気口２ａから外槽２に入り排水口２ｂから排出される。
【００２０】
乾燥ダクト２９の上部は、筐体１内の上部右側に前後方向に設置したフィルタダクト２７に接続している。フィルタダクト２７の前面には開口部を有しており、この開口部に引き出し式の乾燥フィルタ８を挿入してある。乾燥ダクト２９からフィルタダクト２７へ入った空気は、乾燥フィルタ８のメッシュフィルタ８ａに流入し糸くずが除去される。乾燥フィルタ８の掃除は、乾燥フィルタ８を引き出してメッシュ式のフィルタ８ａを取り出して行う。また、フィルタダクト２７の乾燥フィルタ８挿入部の下面には開口部が設けてあり、この開口部は吸気ダクト３３が接続しており、吸気ダクト３３の他端は送風ユニット２８の吸気口と接続している。
【００２１】
送風ユニット２８は、駆動用のモータ２８ａ，ファン羽根車（図示せず），ファンケース２８ｂで構成されている。ファンケース２８ｂにはヒータ３１が内蔵されており、ファン羽根車から送られる空気を加熱する。送風ユニット２８の吐出口は温風ダクト３０に接続する。温風ダクト３０は、ゴム製の蛇腹管Ａ３０ａ，蛇腹管継ぎ手３０ｂを介して外槽カバー２ｄに設けた温風吹き出し口３２に接続している。本実施例では、送風ユニット２８が筐体１内の上部右側に設けてあるので、温風吹き出し口３２は外槽カバー２ｄの右斜め上の位置に設け、温風吹き出し口３２までの距離を極力短くするようにしてある。
【００２２】
排水口２ｂ，送風ユニット２８の吸気口及び吐出口には温度センサ（図示せず）が設けてある。
【００２３】
６は、筐体１の上部中央に設けた操作パネルで、電源スイッチ３９，操作スイッチ１２，１３，１５ａ，表示部１４を備える。操作パネル６は、筐体１下部に設けた制御装置３８に電気的に接続している。
【００２４】
図６は本発明の実施例を示す表示装置主要部の縦断面図である。本表示装置は２色切替え発光可能なＬＥＤ２０と、そのＬＥＤのガイド部２１天面に設けられたハーフミラーを用いた表示シート２２より構成されている。本表示装置は表示シートにハーフミラー材を用いているため、電源『切』時には図７（ａ）のように表示部４５には何も表示されず、液晶風の外観となり高品位化される。電源『入』でＬＥＤ全点灯時には（ｂ）図のようになる。１３ａ，１３ｂ，１３ｃは運転コースを切替えるボタンであり、各ボタンを押すことで「洗濯」「洗乾」「乾燥」のそれぞれのコースを切替えることができ、そのコースにおいて選択可能な全てのメニュー名表示ランプ１１が赤色で点灯し、選択できないメニューは消灯のままとなる、かつ、現在選択中のメニュー名表示ランプのみが緑色にて点灯する。また、各ボタンを繰り返し押すことにより選択中メニュー名表示ランプ発光色が順次移動する。例えば、「洗濯」ボタン１３ａを１回押すと「洗濯」コースの「標準」メニューが選択されるため、表示ランプ１１の「標準」が緑色にて点灯し、かつ、「洗濯」コースにて選択可能なメニューである「念入り」「手造り」「おいそぎ」「ナイト」「柔らか」「毛布」「ドライ」は赤色にて点灯し、図８（ａ）のように表示される。この状態より「洗濯」ボタン１３ａをもう一度押すと、表示ランプ１１の「念入り」が緑色に点灯し、「標準」「手造り」「おいそぎ」「ナイト」「柔らか」「毛布」「ドライ」は赤色に点灯し、図８（ｂ）のように表示される。さらに、この状態にて「乾燥」ボタン１３ｃを押すと、「乾燥」コースの「標準」メニューが選択されるため、表示ランプ１１の「標準」が緑色にて点灯し、かつ、「乾燥」コースにて選択可能なメニューである、「念入り」「省エネ」「ナイト」「低温乾燥」「棚乾燥」は赤色にて点灯し、図９（ａ）のように表示される。この状態より、「乾燥」ボタンをもう一度押すと、表示ランプ１１の「念入り」が緑色に点灯し、「標準」「省エネ」「ナイト」「低温乾燥」「棚乾燥」は赤色にて点灯し、図９（ｂ）のように表示される。
【００２５】
本表示装置のＬＥＤ発行色の切替えは図１０に示すような制御にて行われる。入力手段２３より入力された情報が制御手段２４へと伝達され、その制御装置に予め記憶させてある表示パターンを選んで、表示手段２５に信号を送り、表示させている。
【図面の簡単な説明】
【００２６】
【図１】本発明のドラム式洗濯乾燥機を示す外観図である。
【図２】本発明のドラム式洗濯機の筐体の一部を切断して内部構造を示す斜視図である。
【図３】本発明のドラム式洗濯機の背面カバーを外して内部構造を示す背面図である。
【図４】本発明のドラム式洗濯機の内部構造を示す側面図である。
【図５】本発明のドラム式洗濯機の筐体の上部を切断して内部構造を示す上面図である。
【図６】本発明の実施例を示す表示装置主要部の縦断面図。
【図７】本発明の実施例の表示装置の説明図である。
【図８】本発明の実施例の表示装置の説明図である。
【図９】本発明の実施例の表示装置の説明図である。
【図１０】本発明の表示制御のブロック図である。
【符号の説明】
【００２７】
１  筐体
２  外槽
２ｄ  外槽カバー
３  洗濯兼脱水槽
４，２８ａ  モータ
６  操作パネル
８  乾燥フィルタ
９  ドア
１６  給水電磁弁
２７  フィルタダクト
２８  送風ユニット
２８ｂ  ファンケース
２９  乾燥ダクト
３１  ヒータ
３２  温風吹き出し口
３２ｄ  ノズル
３３  吸気ダクト
３８  制御装置
【図１】
2010069026.tif 000003
【図２】
2010069026.tif 000004
【図３】
2010069026.tif 000005
【図４】
2010069026.tif 000006
【図５】
2010069026.tif 000007
【図６】
2010069026.tif 000008
【図７】
2010069026.tif 000009
【図８】
2010069026.tif 000010
【図９】
2010069026.tif 000011
【図１０】
2010069026.tif 000012